(57)【要約】【課題】下枠の断面形状に拘らず水密性の良好な引き違いサッシを提供する。【解決手段】略同一高さの内外レール２１、２２により外障子１２の室内側位置に形成した水溜め空間２３を有し、水溜め空間２３に貯溜した雨水を排出する排水孔２４を設けた下枠２と、躯体開口部に固定するとともに下枠２の下方に配置する補助枠４と、下枠２及び補助枠４の室外側に配置して水溜め中空部３１を有する水切り材３とを備え、水溜め中空部３１は上部に下枠２の排水孔２４と連通する連通孔３２を設けるととともに下部に室外側に排水する水抜き孔３３を設けてあり、補助枠４は係止部４１を有して水切り材３の被係止部３４を係止するとともに、水切り材３は下枠２または補助枠４にねじ止め固定してある。【選択図】　　　　図１
2004092332.tif 000002
【特許請求の範囲】
【請求項１】
略同一高さの内外レールにより外障子の室内側位置に形成した水溜め空間を有し、水溜め空間に貯溜した雨水を排出する排水孔を設けた下枠と、躯体開口部に固定するとともに下枠の下方に配置する補助枠と、下枠及び補助枠の室外側に配置して水溜め中空部を有する水切り材とを備え、水溜め中空部は上部に下枠の排水孔と連通する連通孔を設けるととともに下部に室外に排水する水抜き孔を設けてあり、補助枠は水切り材を係止する係止部を有しており、水切り材の被係止部を係止部に上方から係止するとともに、水切り材を下枠または補助枠の少なくとも一方にねじ止め固定してあることを特徴とする引き違いサッシ。
【発明の詳細な説明】
【０００１】
【発明が属する技術分野】
本発明は、略同一高さの内レール及び外レールを有する引き違いサッシの水密性能向上に関するものである。
【０００２】
【従来の技術】
従来から知られている略同一高さの内レール及び外レールを有する引き違いサッシの水密性能向上に関する技術として例えば、特許文献１ではレールを形成した下枠基板の下位置に中空部を設けて下枠基板上に滞留する雨水を第１次排水孔より中空部内に溜め、中空部内に溜めた雨水は水頭圧が風圧力より大きくなると第２次排水孔より室外側に排水されるようにして水密性を向上する方法が開示されている。
【０００３】
【特許文献１】
特許第３２３２３９５号公報
【０００４】
【発明が解決しようとする課題】
しかし、上記した従来の引き違いサッシにおいては、特許文献１に見られる如く、下枠基板の下位置に必要な水頭圧が得られる大きさの中空部を確保できることが条件となるので、設計上、下枠基板の下部に必要な中空部を確保できない場合には適用できないという問題があり、この問題を解決することが従来の課題となっていた。
【０００５】
【発明の目的】
本発明は、上記した従来の課題に着目してなされたもので、下枠の断面がいかなる形状であっても適用できる水密性の良好な引き違いサッシを提供することを目的としている。
【０００６】
【課題を解決するための手段】
本発明の請求項１に係わる引き違いサッシは、略同一高さの内外レールにより外障子の室内側位置に形成した水溜め空間を有し、水溜め空間に貯溜した雨水を排出する排水孔を設けた下枠と、躯体開口部に固定するとともに下枠の下方に配置する補助枠と、下枠及び補助枠の室外側に配置して水溜め中空部を有する水切り材とを備え、水溜め中空部は上部に下枠の排水孔と連通する連通孔を設けるととともに下部に室外に排水する水抜き孔を設けてあり、補助枠は水切り材を係止する係止部を有しており、水切り材の被係止部を係止部に上方から係止するとともに、水切り材を下枠または補助枠の少なくとも一方にねじ止め固定してある構成を前述した従来の課題を解決するための手段としている。
【０００７】
【発明の作用】
本発明の請求項１に係わる引き違いサッシにおいて、下枠は水溜め空間に貯溜した雨水を排出する排水孔を設けてあり、水切り材の水溜め中空部は上部に下枠の排水孔と連通する連通孔を設けるととともに下部に室外に排水する水抜き孔を設けてあるので、水溜め中空部に排出し貯溜した雨水の水頭圧を利用して引き違いサッシの水密性能を向上できるものであり、且つ、補助枠を下枠の下方に配置するとともに水切り材を下枠及び補助枠の室外側に配置してあるので下枠の断面がいかなる形状の場合であっても、例えば設計上、下枠の下部に必要な中空部を確保できない場合であっても適用できるという格別の効果が得られることとなる。また、補助枠は水切り材を係止する係止部を有しており、水切り材の被係止部を係止部に上方から係止するとともに、水切り材を下枠または補助枠の少なくとも一方にねじ止め固定してあるので、補助枠に設けた係止部に水切り材の被係止部を係止してあるという簡単な構造によって水切り材の水溜め中空部に貯留する雨水の重量をも十分に受け止めることができるという効果を有するものであり、同時に、水切り材の取り付けに際しては被係止部を補助枠の係止部に引っ掛けておいて下枠または補助枠にねじ止め固定するだけで組み付けが容易であるという効果も得られる。
【０００８】
【発明の実施の形態】
以下、本発明を図面に基づいて説明する。図１は本発明に係わる第一実施形態の引き違いサッシ１の縦断面図を示している。
【０００９】
第一実施形態の引き違いサッシ１は、本発明を樹脂製の引き違いサッシに適用した事例であり、図１に示すように躯体Ｋの開口部に取り付けて、上枠１３と下枠２との間に引き違いの内障子１１と外障子１２とを摺動自在に建て込んである。
【００１０】
下枠２は下方に補助枠４を配置して螺子止め固定してあり、補助枠４は下方にアンカー８２を取り付け、躯体Ｋの開口部に固定したアンカーボルト８１にアンカー８２を溶接することによって、また同時に補助枠４の下端部でも取り付けボルト８３を用いて間接的にアンカーボルト８１に固定することによって、躯体Ｋの開口部に固定してある。上枠１３は躯体Ｋに固定したアンカーボルト８４に直接連結固定してある。
【００１１】
下枠２は略同一高さの内レール２１と外レール２２とにより外障子１２の室内側位置に形成した水溜め空間２３を有し、水溜め空間２３に貯溜した雨水を排出する排水孔２４を設けてある。
【００１２】
水切り材３は下枠２及び補助枠４の室外側に配置してあり、水切り材３の室内側面には補助枠４の室外側面に設けた係止部４１、４１に係止する被係止部３４、３４を設けてあり、補助枠４は係止部４１、４１に被係止部３４、３４を上方から引っ掛けることによって水切り材３の被係止部３４、３４を係止するとともに、水切り材３の上端部は下枠２の室外側面に取付螺子５１で螺子止め固定してある。
【００１３】
水切り材３は水溜め中空部３１を有しており、水溜め中空部３１は上部に下枠２の排水孔２４と連通する連通孔３２を設けるととともに下部に室外に排水する水抜き孔３３を設けてあり、連通孔３２と水抜き孔３３とは少なくとも後述する水頭圧を確保するために必要とする十分な高低差を設けてある。水抜き孔３３の外側には突風時などの強風圧による水溜め中空部３１から下枠２の水溜め空間２３への吹き上がりを防止する為の排水弁６を設けてある。
【００１４】
風雨の激しいときには、引き違いサッシ１の内障子１１側に吹き付けた雨水は内障子１１の室外側面を流下して下枠２の水溜め空間２３に貯留し、排水孔２４から連通孔３２を経由して水溜め中空部３１に導かれて水抜き孔３３から室外に流出しようとするが、このとき水抜き孔３３及び排水弁６には室外から強風による風圧がかかっているために風圧に負けて流出できずに水溜め中空部３１内に貯溜することとなり、水溜め中空部３１内に貯溜する雨水の水位が高くなり、水頭圧（水位の高さによって水抜き孔３３及び排水弁６にかかる水圧）が室外からの風圧（外風圧）より大きくなると水溜め中空部３１内に貯溜する雨水は水抜き孔３３から室外に排出されることとなるので、水溜め中空部３１内には常時、外風圧と平衡する水位に雨水が貯溜していることとなるものであり、もしも、連通孔３２と水抜き孔３３とが十分な高低差を設けてないと水溜め中空部３１内に雨水が充満しても外風圧に対向できる水頭圧が確保できないこととなり、雨水は連通孔３２および排水孔２４から排出できず、終には内レール２１を乗り越えて室内側に漏水してしまうこととなるので、連通孔３２と水抜き孔３３との間には必要な水密性能を満たす十分な高低差を設けておくことが必要である。排水弁６は必ずしも設けてなくてもよいが、排水弁６を設けてなく、且つ、水抜き孔３３が大きい場合に、水抜き孔３３の下方から貯留する雨水が抜けて排出し、水抜き孔３３の上方から外風圧に負けて外気が水溜め中空部３１内に吹き込むという現象が起こりやすくなり、結果として外風圧と平衡する水位が下がるために水密性能が低下することとなるので、排水弁６を設けてあることはより安定した高い水密性能を確保するために有効なものである。
【００１５】
上記した如く、所要の水密性能を確保する為には連通孔３２と水抜き孔３３とは必要とする十分な高低差を設けてなければならないが、設計上において例えば特許文献１の図３や図９に「中空部２９」として示されているような水溜め中空部のスペースを下枠と躯体との間に十分に確保できない場合でも、本発明の引き違いサッシにおいては、水溜め中空部３１を設けてある水切り材３が下枠２及び補助枠４の室外側に配置してあるので、連通孔３２と水抜き孔３３との必要十分な高低差を自由に必要なだけ確保することができるという大きな効果が得られるものである。また、上記したように強風雨時には水切り材３の水溜め中空部３１内には外風圧と平衡する水位の雨水が貯留することとなるのでその分だけ大きな重量が水切り材３に加わることとなるが、水切り材３の被係止部３４、３４を補助枠４の室外側面に設けた係止部４１、４１に上方から引っ掛けることによって係止してあるので、構造を複雑にしなくても水切り材３にかかる重量を係止部４１、４１で十分に受け止めることが可能となっているものである。また、このような構成としてあるから、水切り材３の取り付けに際しては被係止部３４を補助枠４の係止部４１に引っ掛けておいて下枠２にねじ止め固定するだけで組み付けが容易に行なえるという効果も得られる。
【００１６】
本発明は、上記した実施の形態に限らず、本発明の趣旨を逸脱しない範囲で種々の変更が可能である。例えば、上記した実施の形態では樹脂サッシに適用した場合を例示したが、適用できる引き違いサッシの種類はこれに限られるものでなくアルミサッシなどであっても良い。係合部を２ヶ所に設けた構造を例示したが、係合部は１ヶ所だけであってもよい。補助枠の形態及び躯体開口部への固定方法は上記した実施形態に限られるものではない。
【００１７】
【発明の効果】
以上説明してきたように、本発明の請求項１に係わる引き違いサッシでは、上記した構成としたから、水密性能を向上できるだけでなく、下枠の断面がいかなる形状の場合であっても、例えば設計上、下枠の下部に必要な中空部を確保できない場合であっても適用できるという格別の効果が得られることとなるものであり、且つ、補助枠に設けた係止部に水切り材の被係止部を係止してあるという簡単な構造によって水切り材の水溜め中空部に貯留する雨水の重量をも十分に受け止めることができるという効果も有するものである。
【図面の簡単な説明】
【図１】第一実施形態の引き違いサッシの縦断面説明図である。
【符号の説明】
１　　　引き違いサッシ
１１　　内障子
１２　　外障子
２　　　下枠
２１　　内レール
２２　　外レール
２３　　水溜め空間
２４　　排水孔
３　　　水切り材
３１　　水溜め中空部
３２　　連通孔
３３　　水抜き孔
３４　　被係止部
４　　　補助枠
４１　　係止部
Ｋ　　　躯体
【図１】
2004092332.tif 000003